(57)【要約】      （修正有）【課題】磁石などの構成部材の破損なく音質が良好である音声再生ユニットを提供する。【解決手段】熱軟化性プラスチック材により、回路基板４０とヨーク５０と磁石６０とワッシャー７０などの構成部材を積み重ねた同心集合体を、それぞれの中心孔４１，５１，６１，７１を通して圧入して形成されたプラグ２１４により定位すると共に、有底筒状キャップ体２０を一体に形成してなる構成を有する。【選択図】図２
0003143877.tif 000002
【実用新案登録請求の範囲】
【請求項１】
中心孔付き円板状回路基板と、
一端が開放する中心孔付き有底円筒状ヨークと、
前記ヨークより径小で、前記ヨークの筒状胴部の内周面と隙間をおいて配置される中心孔付き円板状磁石と、
前記ヨークの筒状胴部の内周面と隙間をおいて配置される中心孔付き円板状ワッシャーと、
熱軟化性プラスチック材により、前記回路基板と前記ヨークと前記磁石と前記ワッシャーとのそれぞれの中心孔を通して中心孔を軸とする軸方向に沿って圧入して前記回路基板の中心孔及び前記ワッシャーの中心孔より突出て、前記回路基板と前記ヨークと前記磁石と前記ワッシャーとを一体に連結させて集合体を形成するプラグと、
プラスチック材からなり、前記プラグの前記回路基板より突出た部分と一体に連結されるようにその前方が開放する有底筒状に形成され、筒状胴体内に前記回路基板と前記ヨークの外囲を覆いながら前記集合体を収容し、前方開放端外縁からフランジが直角に外方に伸びるキャップ体とを有し、
前記プラグとしては、前記回路基板の中心孔より突出た部分は前記キャップ体の底部と一体に連結し、前記ワッシャーの中心孔より突出た部分は前記ワッシャーのキャップ体の開放端側の端面上に前記中心孔の孔径よりも径大な丸頭リベット状に形成され、
前記キャップ体のフランジに、軸方向に沿って貫通するホールを複数形成し、前記キャップ体の底部に、それぞれの間に互いに前記プラグと連結された仕切りにより音孔を複数分割して形成し、
揮発性溶剤に接着剤を溶かした液を含浸した調音シートを、溶剤の揮発により前記フランジにおける前記開口と逆向きの面に前記複数のホールを封じるように接着し、
コイルを前記開放端より前記隙間に嵌め込んで前記ワッシャー及び前記磁石の周りに設け、
ダイアフラムを前記コイルを中心にドーム状に前記コイルの外周に結合し、
エッジ部を前記ダイアフラムの周縁に一体で設け、このエッジ部の外周が前記フランジの開放端側周縁部に結合されていることを特徴とする音声再生ユニット。
【請求項２】
前記フランジの開放端側周縁部より外部のマザーボードに連結定位する定位手段が突出て形成されることを特徴とする請求項１に記載の音声再生ユニット。
【請求項３】
前記回路基板に軸方向に貫通する通孔が設けられ、
前記ヨークに前記通孔に対応して嵌入される係止ロッドが形成されていることを特徴とする請求項１に記載の音声再生ユニット。
【請求項４】
さらに、中空有底筒状カバーが、前記キャップ体の底部に被さるように取り付けられ、
前記フランジの周縁の外周面がやや削り取られて凹環部が設けられ、
前記カバーは、前記フランジの凹環部と締まり嵌められるように内周面がやや削り取られて凹環部が設けられていることを特徴とする請求項１に記載の音声再生ユニット。
【請求項５】
前記カバーの底部側の外面に、外部素子に挿入定位するための取付部材が設けられていることを特徴とする請求項４に記載の音声再生ユニット。
【考案の詳細な説明】
【技術分野】
【０００１】
本考案は、マルチメディアシステムが備えた音声再生ユニットに関する。
【背景技術】
【０００２】
イヤホンや、例えばＮＢ、ＭＰ３、ＭＰ4、ＰＳＰなどの携帯型マルチメディアシステムに備わる音声再生ユニットは、図４及び図５に示すように、その周縁にフランジがあって中央部の窪んだ凹部に中心孔を設けた薄肉の金属板からなるキャップ体１を有する。キャップ体１の凹部に、中心孔を穿設したドーナツ状磁石３と、中心孔を穿設した円板状ワッシャー４を順に装着し、凹部に対応するキャップ体１の外面に、中心孔付き回路基板２を付けてリベット９により、回路基板２とキャップ体１と磁石３とワッシャー４との順にそれぞれの中心孔を挿通して連結されている。筒状コイル５が磁石３とワッシャー４の周りに設けられ、枠リング７に取り付けられたダイアフラム６がドーム状にコイル５の周縁に張設され、カバー８により覆われてキャップ体１のフランジ内に一体に取り付けられている。キャップ体１の凹部を除く周部の外面には、音響抵抗材としての多孔質の調音シート１０１を例えば接着剤により周設している。
【考案の開示】
【考案が解決しようとする課題】
【０００３】
上記音声再生ユニットでは、製造時組立てが簡単に行うことができるが、キャップ体に回路基板２、磁石３及びワッシャー４をリベット締めにして一体に連結しているため、それらの間にリベット締め応力を受け回路基板２及び磁石３の破損をきたし、製品の歩留りが低下する。また、磁石３の破損により、磁石３による磁力線の分布が不均一になり、不要なノイズが発生する恐れがある。
【０００４】
また、キャップ体１は金属よりなるので、磁気誘導効果により、磁石３の磁気が漏れ、飽和状態を保持しにくく、不要なノイズが発生する恐れがある。
【０００５】
また、調音シート１０１を接着剤によりキャップ体１に貼着する際、接着剤の貼着乾燥作業中、その厚みや均一度が大きく変り、調音シート１０１の通気性や材質に影響を及ぼし、音響効果を決める音響抵抗効果にひびく。また、リベット締め作業においては、対応する構成手段に中心孔を開設するときばりの発生などの加工精度及びリベットの嵌入組立精度が良好でなければならず、また、組立精度により音響共振による高次高調波を生じやすく、音響再生効果が低下する。
【０００６】
本考案は、上記事情に鑑み、製品の歩留りがよく、音質が良好である音声再生ユニットを提供することを目的とする。
【課題を解決するための手段】
【０００７】
前記目的を達成するために、本考案は、中心孔付き円板状回路基板と、一端が開放する中心孔付き有底円筒状ヨークと、前記ヨークより径小で、前記ヨークの筒状胴部の内周面と隙間をおいて配置される中心孔付き円板状磁石と、前記ヨークの筒状胴部の内周面と隙間をおいて配置される中心孔付き円板状ワッシャーと、熱軟化性プラスチック材により、前記回路基板と前記ヨークと前記磁石と前記ワッシャーとのそれぞれの中心孔を通して中心孔の孔心を軸とする軸方向に沿って圧入して前記回路基板の中心孔及び前記ワッシャーの中心孔より突出て、前記回路基板と前記ヨークと前記磁石と前記ワッシャーとを一体に連結させて集合体を形成するプラグと、熱軟化性プラスチック材からなり、前記プラグの前記回路基板より突出た部分と一体に連結されるようにその前方が開放する有底筒状に形成され、筒状胴体内に前記回路基板と前記ヨークの外面を覆いながら前記集合体を収容し、前方開放端外縁からフランジが直角に外方に伸びるキャップ体とを有し、前記プラグとしては、前記回路基板の中心孔より突出た部分は前記キャップ体の底部と一体に連結し、前記ワッシャーの中心孔より突出た部分は前記ワッシャーのキャップ体の開放端側の端面上に前記中心孔の孔径よりも径大な丸頭リベット状に形成され、前記キャップ体のフランジに、軸方向に沿って貫通するホールを複数形成し、前記キャップ体の底部に、それぞれの間に互いに前記プラグと連結された仕切りにより音孔を複数分割して形成し、揮発性溶剤に接着剤を溶かした液を含浸した調音シートを、溶剤の揮発により前記フランジにおける前記開口と逆向きの面に前記複数のホールを封じるように接着し、コイルを前記開放端より前記隙間に嵌め込んで前記ワッシャー及び前記磁石の周りに設け、ダイアフラムを前記コイルを中心にドーム状に前記コイルの外周に結合し、エッジ部を前記ダイアフラムの周縁に一体で設け、このエッジ部の外周が前記フランジの開放端側周縁部に結合されていることを特徴とする音声再生ユニットを提供する。
【０００８】
前記音声再生ユニットにおいて、前記フランジの開放端側周縁部より外部のマザーボードに連結定位する定位手段が突出て形成されることが好ましい。
【０００９】
前記音声再生ユニットにおいて、前記回路基板に軸方向に貫通する通孔が設けられ、前記ヨークに前記通孔に対応して嵌入される係止ロッドが形成されていることが好ましい。
【００１０】
前記音声再生ユニットにおいて、さらに、中空有底筒状カバーが、前記キャップ体の底部に被さるように取り付けられ、前記フランジの周縁の外周面がやや削り取られて凹環部が設けられ、前記カバーは、前記フランジの凹環部と締まり嵌められるように内周面がやや削り取られて凹環部が設けられていることが好ましい。
【００１１】
前記音声再生ユニットにおいて、前記カバーの底部側の外面に、外部素子に挿入定位するための取付部材が設けられることが好ましい。
【考案の効果】
【００１２】
上記構成からなる音声再生ユニットによれば、前記回路基板と前記ヨークと前記磁石と前記ワッシャーなどの構成部材を積み重ねた同心集合体を、それぞれの中心孔を通して圧入して形成されたプラグにより定位すると共に、有底筒状キャップ体を一体に形成してなる構成を有するので、従来の前記構成部材を連結定位するためのリベット締め手法によらずにすみ、前記部材の破損をきたす恐れがなくなり、各構成部材も正確に定位して連結されることができる。したがって、磁石は磁力線が均一に分布され、音質が安定で、良好な音響再生効果が得られる。また、多孔質調音シートを溶剤が揮発すると共に、むらなくキャップ体に接着することができるので、調音シートの通気性を良好に保つことができ、音質を向上させることができる。
【考案を実施するための最良の形態】
【００１３】
本考案の特徴及び利点は、添付の図面を参照して、以下の本考案の好適な実施形態の詳細な説明により明らかとなる。
【００１４】
図１は、本考案にかかる音声再生ユニットを概略示す分解斜視図である。図２は、図１の組合断面図である。本考案の音声再生ユニットは、図１のように、キャップ体２０、調音シート３０、回路基板４０、ヨーク５０、磁石６０、ワッシャー７０、ダイヤフラム８０及びコイル９０を有し、所定の組合方式で図２のように組み立てられている。図１のように本考案の音声再生ユニットとしては、音室カバー１０によりマイクロホンユニットとして構成されることができるが、音室カバー１０をそなわず、スピーカ手段として構成される。
【００１５】
音室カバー１０は、その内部に軸方向に沿って前端が開放し、円板状底部１３と該底部１３に接続されてキャビティ（音室）を画成する周壁１２を有する中空有底円筒を有し、キャップ体２０の底部に被さるように取り付けられ、キャップ体２０と締まり嵌めるように周壁１２の開放端の内周面がやや削り取られて凹環部１１が設けられている。
【００１６】
キャップ体２０は、熱軟化性プラスチック材で一体成形法により軸方向に沿って前端が開放し空洞を画成する周壁２１と底部２４とを有する有底円筒状につくられており、開放端側の周壁２１の外縁からフランジ２２が直角に外方に伸びており、軸方向に沿って貫通し音室に連通するホール２２３、２２３、・・・を複数形成し、底部２４に、仕切り２１１により例えば半円形音孔２１２、２１２を複数分割して形成している。カバー１０がキャップ体２０に嵌り締まるようにフランジ２２の外周面２２２(周縁部)がやや削り取られて凹環部２２４が設けられている。キャップ体２０の周壁２１の外周面からフランジ２２の外周面にかけてワイヤを取り付ける切欠溝２３を形成している。フランジ２２の開放端の内周面にまたやや削り取られて凹環部２２５を設けてダイヤフラム８０のエッジ部８１が設けられている。
【００１７】
調音シート３０としては、この例では、例えばベンゼンやトルエンなどの溶剤で溶かして作られる接着剤に浸した不織布製のリング状なもので、溶剤の揮発によりフランジ２２における底部側の外面２２１に複数のホール２２３、２２３、・・・を封じるように溶着されている。
【００１８】
回路基板４０は、中心孔４１付き円板状をし、キャップ体２０内に装着されている。回路基板４０は、図示しないが、基板４０から出力/入力音源ワイヤがキャップ体２０の切欠溝２３に引出されて取り付けられる。回路基板４０の円板にヨーク５０を定位するための通孔４２、４２を軸方向に沿って貫通して形成している。
【００１９】
ヨーク５０は、中心孔５１付き円板５１０と円板５１０から接続して中空部５２を画成する周壁５２０からなる中空状有底冠体を有し、円板５１０が回路基板４０に積み重ねると共にキャップ体２０の周壁２１内に密接嵌入されている。円板５１０上に、回路基板４０の通孔４２、４２に対応して挿入係止されるロッド５３、５３が突出て形成されている。
【００２０】
磁石６０は、ヨーク５０の円板５１０より径小の中心孔６１付の円板状をし、ヨーク５０の周壁５２０と隙間をおいて中空部５２内にヨーク５０の中心孔５１に対応してヨーク５０の円板５１０に積み重ねられて同軸に配置される。
【００２１】
ワッシャー７０は、ヨーク５０の円板５１０より径小で中心孔７１付の円板状をし、ヨーク５０の周壁５２０の内周面と隙間をおいて磁石６０に積み重ねられて中空部５２内にヨーク５０の中心孔５１に対応して同軸に配置される。
【００２２】
この例では、孔内に圧入し回路基板４０の中心孔４１及びワッシャー７０の中心孔７１より突出して、回路基板４０とヨーク５０と磁石６０とワッシャー７０とを一体に連結させ集合体を形成するよう中心孔を軸とする軸方向に沿って伸びる熱軟化性プラスチック材製のプラグ２１４が、回路基板４０とヨーク５０と磁石６０とワッシャー７０とのそれぞれの中心孔４１、５１、６１、７１を通してそれらを一体に連結させる。
【００２３】
プラグ２１４としては、この例では回路基板４０の中心孔４１より突出た部分はキャップ体２０の底部２４の仕切り２１１とを一体に連結させて、ワッシャー７０の中心孔７１より突出た部分はワッシャー７０のキャップ体２０の開放端側の外面上に中心孔７１の孔径よりも径大な丸頭リベット状に形成されてワッシャー７０に定着されている。
【００２４】
コイル９０としては、キャップ体２０の開放端よりヨーク５０の周壁５２０とワッシャー７０との隙間に嵌め込んでワッシャー７０及び磁石６０の周りに設けられている。
【００２５】
ダイヤフラム８０としては、コイル９０を中心にドーム状にコイル９０の外周に結合してキャップ体２０の開放端に張設している。ダイアフラム８０の周縁にリング状エッジ部８１を一体で設け、このエッジ部８１の外周がフランジ２２の開放端側凹環部２２５に結合されている。
【００２６】
本考案の音声再生ユニットはまた、図３に示されるように、カバー１０の底部１３側の外面に、外部素子に挿入定位するための取付部材１４が突起状に設けられていることが好ましい。または、キャップ体２０はフランジ２２の開放端よりさらに伸びて例えばマザーボード２００（鎖線で示す）の外部素子に連結定位する定位手段２２６が突出て形成される。定位手段２２６はマザーボード２００に安定よく定位すると共にダイヤフラム８０を保護することができるよう、フランジ２２よりさらに伸びて径大部と径小部を有するように階段状に形成され、径小部によってマザーボードに嵌挿して定位されることができる。
【００２７】
この音声再生ユニットは、外部の成形装置を用いて製造することができる。成形装置のキャビティ内に回路基板４０とヨーク５０と磁石６０とワッシャー７０とをそれぞれの中心孔を対応づけて積み重ねて所定に載置する。
【００２８】
成形装置において熱軟化性プラスチック材で積層体の各中心孔よりなる中心通路に圧入して回路基板４０の中心孔４１及びワッシャー７０の中心孔７１から突き出てあふれてプラグ２１４を形成する。プラグ２１４の回路基板４０の中心孔４１からあふれて突き出た部分がさらに伸びて回路基板４０及びヨーク５０を被覆するようにフランジ２２があるキャップ体２０を形成する。つまり、プラグ２１４は回路基板４０の中心孔４１から突出た部分によりキャップ体２０と一体に連結され、ワッシャー７０の中心孔７１からあふれ突出た部分を丸頭リベット状にして形成される。したがって、リベット締め手法によらずにすみ、プラグ２１４により回路基板４０とヨーク５０と磁石６０とワッシャー７０とを集合体として一体に連結しそれらの間が隙間無くキャップ体２０内に定位連結して組立てることができるので、磁石６０などにプレス応力をかかることなく、破損の心配がなく、不良率を少なくして歩留まりを高めることができる。回路基板４０とヨーク５０と磁石６０とワッシャー７０などは正確に定位して組み立てられるので、磁力線の分布が均一になり、ダイヤフラム８０の振動を鋭く伝達し、コイル９０により有効信号を発生することができるので、音響の共振期間において高次高調波の発生がなくなり、音質を良好に保つことができ、また、高周波応答を向上させることができる。また、調音シートは、揮発性溶剤に接着剤を均一に溶かした液を含浸してなるもので、溶剤の揮発と共に、キャップ体２０の所定な箇所に接着されることができ、その通気性を維持しながら通気性シート３０を均一にキャップ体２０に環設することができるので、音のダンプ効果がよい。
【産業上の利用可能性】
【００２９】
本考案の音声再生ユニットは、スピーカやマイクロホンなどの音声再生装置に有用である。
【図面の簡単な説明】
【００３０】
【図１】本考案にかかる音声再生ユニットを概略示す分解斜視図である。
【図２】図１の組合断面図である。
【図３】本考案の他の形態例の音声再生ユニット示す組合断面図である。
【図４】従来の音声再生ユニット例を示す分解斜視図である。
【図５】図４の組合断面図である。
【符号の説明】
【００３１】
１０    音室カバー
１１    凹環部
１２    周壁
１３    底部
１４    取付部材
２０    キャップ体
２１    周壁
２１１  仕切り
２１２  音孔
２１４  プラグ
２２    フランジ
２２１  外面
２２２  外周面(周縁部)
２２３  ホール
２２４  凹環部
２２５  凹環部
２２６  定位手段
２３    切欠溝
２４    底部
３０    調音シート
４０    回路基板
４１    中心孔
４２    通孔
５０    ヨーク
５１    中心孔
５１０  円板
５２    中空部
５２０  周壁
５３    ロッド
６０    磁石
６１    中心孔
７０    ワッシャー
７１    中心孔
８０    ダイヤフラム
８１    エッジ部
９０    コイル
２００  マザーボード
【図１】
0003143877.tif 000003
【図２】
0003143877.tif 000004
【図３】
0003143877.tif 000005
【図４】
0003143877.tif 000006
【図５】
0003143877.tif 000007